(57)【要約】      （修正有）【課題】全地球測位システム（ＧＰＳ）記録装置と、充電台とを備えた、位置情報を画像ファイルに付加可能な充電システムを開示する。【解決手段】使用者がＧＰＳ記録装置を充電台に接続するとともに、画像ファイルが記憶されているメモリカードを充電台のカードコネクタに接続したとき、本考案の充電台はすぐさまＧＰＳ記録装置に対する充電を開始するとともに、ＧＰＳ記録装置内に記憶されている位置情報をメモリカード内における対応する画像ファイルに自動的に付加する。本考案の充電台は、多機能カード読取り機として、しかもコンピュータに接続可能である。また、コンピュータの演算を介在することなく、ＫＭＬファイルを作成できる。【選択図】図２
0003141582.tif 000002
【実用新案登録請求の範囲】
【請求項１】
位置情報を画像ファイルに付加可能な充電システムであって、
全地球測位システム（ＧＰＳ）記録装置と、
充電台と、を備え、
前記全地球測位システム（ＧＰＳ）記録装置は、
複数の位置情報を受信するＧＰＳ受信器と、
前記複数の位置情報を記憶するメモリモジュールと、
第１の接続ポートと、
電源管理手段と、
前記ＧＰＳ受信器と、前記メモリモジュールと、前記第１の接続ポートと、前記電源管理手段とを制御する第１のマイコンユニットと、を有し、
前記充電台は、
前記ＧＰＳ記録装置の前記第１の接続ポートに電気的に接続される第２の接続ポートと、
充電手段と、
少なくとも一つの画像ファイルを記憶する第１のメモリカードを接続する第１のカードコネクタと、
前記ＧＰＳ記録装置が前記充電台に電気的に接続されたとき、前記電源管理手段に対して充電を行い、しかも前記第１のメモリカードが前記第１のカードコネクタに接続されているときには、前記ＧＰＳ記録装置を介して、前記メモリモジュール内の前記複数の位置情報のうちの一つを前記第１のメモリカード内における対応する前記画像ファイルに付加するように、充電手段を制御する第２のマイコンユニットと、を有する、ことを特徴とする位置情報を画像ファイルに付加可能な充電システム。
【請求項２】
前記メモリモジュールが、前記複数の位置情報を記憶する第２のメモリカードを接続する第２のカードコネクタを備えた、ことを特徴とする請求項１に記載に位置情報を画像ファイルに付加可能な充電システム。
【請求項３】
前記メモリモジュールが、前記複数の位置情報を記憶する記憶手段を備えた、ことを特徴とする請求項１に記載の位置情報を画像ファイルに付加可能な充電システム。
【請求項４】
前記記憶手段が不揮発性メモリである、ことを特徴とする請求項３に記載の位置情報を画像ファイルに付加可能な充電システム。
【請求項５】
前記ＧＰＳ受信器が、各位置情報がそのうちの一つにそれぞれ対応している複数の第１の時間情報を更に受信するものであり、前記画像ファイルは第２の時間情報を有しており、前記ＧＰＳ記録装置が前記充電器に接続されるとともに、前記第１のメモリカードが前記第１のカードコネクタに接続されたとき、前記第２のマイコンユニットが、前記第２の時間情報に対応する第１の時間情報を前記複数の第１の時間情報中から抽出するとともに、前記抽出した第１の時間情報に対応する前記位置情報を前記画像ファイルに付加する、ことを特徴とする請求項１に記載の位置情報を画像ファイルに付加可能な充電システム。
【請求項６】
前記複数の第１の時間情報の各々が第１の日付および／または第１の時間を含み、しかも前記第２の時間情報の各々が第２の日付および／または第２の時間を含む、ことを特徴とする請求項５に記載の位置情報を画像ファイルに付加可能な充電システム。
【請求項７】
前記複数の位置情報の各々が座標および／または地名を含む、ことを特徴とする請求項１に記載の位置情報を画像ファイルに付加可能な充電システム。
【請求項８】
前記第１の接続ポートおよび前記第２の接続ポートのいずれもがＵＳＢポートである、ことを特徴とする請求項１に記載の位置情報を画像ファイルに付加可能な充電システム。
【請求項９】
前記ＧＰＳ記録装置が、前記ＧＰＳ記録装置に必要な電源を供給するために前記電源管理手段に接続されている電池を更に備えた、ことを特徴とする請求項１に記載の位置情報を画像ファイルに付加可能な充電システム。
【請求項１０】
前記ＧＰＳ記録装置が、前記ＧＰＳ記録装置に関する情報を表示するための表示モジュールを更に備えた、ことを特徴とする請求項１に記載の位置情報を画像ファイルに付加可能な充電システム。
【請求項１１】
前記充電台が、多機能カード読取り機として使用できるようにコンピュータに接続可能であり、しかも前記充電台はコンピュータの演算を介在することなく、ＫＭＬフォーマットの経路記録ファイルを自動的に作成できる、ことを特徴とする請求項１に記載の位置情報を画像ファイルに付加可能な充電システム。
【考案の詳細な説明】
【技術分野】
【０００１】
本考案は充電システム（ｃｈａｒｇｉｎｇ ｓｙｓｔｅｍ）に関し、しかも位置情報（ｐｏｓｉｔｉｏｎａｌ ｉｎｆｏｒｍａｔｉｏｎ）を画像ファイル（ｉｍａｇｅ ｆｉｌｅ）に付加可能な充電システムに関する。
【背景技術】
【０００２】
科学技術の進歩に伴い、全地球測位システム（Ｇｌｏｂａｌ Ｐｏｓｉｔｉｏｎｉｎｇ Ｓｙｓｔｅｍ，ＧＰＳ）はますます広汎に運用されてきている。ＧＰＳは車両用の道案内に応用可能である以外にも、ＧＰＳとデジタルカメラとを組合わせて、撮影場所の緯度／経度情報を記録することもできる。現在、使用者の所在地の位置情報および時間情報を記録するためのＧＰＳ記録装置がすでに開発されている。使用者が各地で撮影した後、画像ファイルおよびＧＰＳデータをコンピュータに取り込み、そして撮影場所の位置情報を写真一枚ごとに付加する。その後、使用者は座標値を書き込んだ後の写真を変換してＧｏｏｇｌｅ ＭａｐまたはＧｏｏｇｌｅ Ｅａｒｔｈ上に反映させることで、撮影場所の位置がはっきりと表わされることになる。Ｇｏｏｇｌｅ ＥａｒｔｈはＫＭＬ方式により、経路記録ファイルを作成でき、ルートをたどりやすくなる。
【０００３】
しかしながら、使用者が画像ファイルに位置情報を付加したい場合には、コンピュータにて特殊なアプリケーションソフトにより操作しなければならない。言い換えるならば、使用者は余分な時間を費やして、コンピュータを用いてＧＰＳ記録装置の位置情報を画像ファイルに付加しなければならず、操作では時間がかかるだけでなく、かなり不便である。更に、コンピュータは通常かさばるものであり、仮にノート型パソコンであったとしても、旅行中の使用者にとっては携帯における悩みも生じてしまう。
【０００４】
したがって、本考案の主な領域は、上記問題を解決するための、位置情報を画像ファイルに付加可能な充電システムにある。しかも本考案の充電台は、多機能カード読取り機として使用できるように、コンピュータに接続可能である。
【考案の開示】
【０００５】
本考案の領域は、全地球測位システム（ＧＰＳ）記録装置と、充電台（ｃｈａｒｇｉｎｇ ｄｏｃｋ）とを備えた、位置情報を画像ファイルに付加可能な充電システムを提供するところにある。使用者がＧＰＳ記録装置を充電台に接続するとともに、画像ファイルが記憶されているメモリカードを充電台のカードコネクタに接続したとき、本考案の充電台はすぐさまＧＰＳ記録装置に対する充電を開始するとともに、ＧＰＳ記録装置内に記憶されている位置情報をメモリカード内における対応する画像ファイルに自動的に付加する。
【０００６】
具体的な実施例によれば、本考案のＧＰＳ記録装置は、ＧＰＳ受信器と、メモリモジュールと、第１の接続ポートと、電源管理手段と、第１のマイコンユニットとを備えている。ＧＰＳ受信器は複数の位置情報を受信するのに用いられる。メモリモジュールはこれら位置情報を記憶するのに用いられる。第１のマイコンユニットは、ＧＰＳ受信器、メモリモジュール、第１の接続ポートおよび電源管理手段を制御するのに用いられる。
【０００７】
また、本考案における充電台は、第２の接続ポートと、充電手段と、第１のカードコネクタと、第２のマイコンユニットとを備えている。第２の接続ポートはＧＰＳ記録装置の第１の接続ポートに電気的に接続される。第１のカードコネクタは第１のメモリカードを接続するのに用いられ、そして第１のメモリカードは少なくとも一つの画像ファイルを記憶する。
【０００８】
この実施例において、ＧＰＳ記録装置が充電台に電気的に接続されたとき、充電台の第２のマイコンユニットは、ＧＰＳ記録装置の電源管理手段に対して充電を行い、しかも第１のメモリカードが充電台の第１のカードコネクタに接続されているときには、ＧＰＳ記録装置を介して、メモリモジュール内のこれら位置情報のうちの一つを第１のメモリカード内における対応する画像ファイルに付加するように、充電手段を制御する。
【０００９】
したがって、本考案の充電システムによれば、使用者は直接、画像ファイルが記憶されているメモリカードおよびＧＰＳ記録装置をそれぞれ充電台に接続することで、充電台がＧＰＳ記録装置に充電を行うと同時に、ＧＰＳ記録装置に記憶されている位置情報をメモリカード内の画像ファイルに付加することができる。つまり、使用者は充電台を直接利用することで、撮影場所の位置情報を写真一枚ごとに付加することができ、コンピュータの操作は必要としないというものである。また、本考案はコンピュータを介在することなく、ＫＭＬ経路記録ファイルのフォーマットを自動的に作成できる。これは使用者にとってかなり便利となる。
【００１０】
本考案の長所および技術的思想については、以下の考案の詳細な記述および図面により、より詳細に理解されうる。
【考案を実施するための最良の形態】
【００１１】
図１を参照されたい。図１は本考案の具体的な実施例に係る充電システム１の概略図である。充電システム１は、ＧＰＳ記録装置１０と、充電台１２とを備えている。使用者がＧＰＳ記録装置１０を充電台１２の収容空間１２０に置いたとき、充電台１２はＧＰＳ記録装置１０に対して充電を行う。このとき、もし使用者が、画像ファイルが記憶されているメモリカード３を充電台１２側面のスロット１２１に挿入すると、充電台１２は同時に、ＧＰＳ記録装置１０内に記憶されている位置情報をメモリカード３内における対応する画像ファイルに付加する。本考案の詳細な実施原理については、以下に詳述する。
【００１２】
図２を参照されたい。図２は図１における充電システム１の機能ブロック図である。ＧＰＳ記録装置１０はＧＰＳ受信器１００と、ＧＰＳ受信器１００に接続されるＧＰＳアンテナ１０１と、記憶手段１０２と、接続ポート１０３と、電源管理手段１０４と、電池１０５と、マイコンユニット１０６と、表示モジュール１０７とを備えている。電池１０５はＧＰＳ記録装置１０に必要な電源を供給するために電源管理手段１０４に接続されている。表示モジュール１０７はＧＰＳ記録装置１０に関する情報を表示するために用いられ、このうち表示モジュール１０７は液晶表示装置（Ｌｉｑｕｉｄ Ｃｒｙｓｔａｌ Ｄｉｓｐｌａｙ，ＬＣＤ）またはその他の表示装置とすることができる。
【００１３】
ＧＰＳ受信器１００には、複数の位置情報ＰＩおよび複数の時間情報ＴＩ１を受信するためにＧＰＳアンテナ１０１が組み合わされており、このうち各位置情報ＰＩはそれぞれ時間情報ＴＩ１のうちの一つに対応している。特に、位置情報ＰＩは座標（ｃｏｏｒｄｉｎａｔｅ）および／または地名（ｐｌａｃｅ ｎａｍｅ）を含むとともに、各時間情報ＴＩ１は日付（ｄａｔｅ）および／または時間（ｔｉｍｅ）を含むことができる。図１に示すように、ＧＰＳ受信器１００が受信した位置情報ＰＩおよび時間情報ＴＩ１は記憶手段１０２に記憶される。記憶手段１０２は、例えばフラッシュメモリ（ｆｌａｓｈ ｍｅｍｏｒｙ）などの不揮発性メモリ（ｎｏｎ-ｖｏｌａｔｉｌｅ ｍｅｍｏｒｙ）とすることができる。
【００１４】
マイコンユニットは、ＧＰＳ受信器１００、記憶手段１０２、接続ポート１０３、電源管理手段１０４および表示モジュール１０７を制御するために用いられる。
【００１５】
また、充電台１２はスロット１２１と、接続ポート１２２と、充電手段１２３と、カードコネクタ１２４と、マイコンユニット１２５とを備えている。この実施例において、ＧＰＳ記録装置１０の接続ポート１０３および充電台１２の接続ポート１２２はいずれもユニバーサル・シリアル・バス（Ｕｎｉｖｅｒｓａｌ Ｓｅｒｉａｌ Ｂｕｓ，ＵＳＢ）ポートである。使用者がＧＰＳ記録装置１０を充電台１２の収容空間１２０（図１に示す）に置いたとき、接続ポート１２２がＧＰＳ記録装置１０の接続ポート１０３に電気的に接続される。カードコネクタはメモリカード３との接続に用いられる。使用者が各地で撮影すると、複数の画像ファイル３０がメモリカード３に記憶される。このうち、各画像ファイル３０はいずれも時間情報ＴＩ２を有している。充電手段１２３は電源供給手段（図示しない）に接続される。
【００１６】
ＧＰＳ記録装置１０が充電台１２に電気的に接続されたとき、充電台１２のマイコンユニット１２５は、ＧＰＳ記録装置１０の電源管理手段１０４に対して充電を行うように、充電手段１２３を制御する。
【００１７】
図２に示すように、使用者がメモリカード３を充電台１２のスロット１２１に挿入して、そしてカードコネクタ１２４に接続したとき、マイコンユニット１２５は、ある画像ファイル３０の時間情報ＴＩ２に対応する時間情報ＴＩ１を、ＧＰＳ記録装置１０を介して、記憶手段１０２に記憶されている時間情報ＴＩ１中から抽出するとともに、前記抽出した時間情報ＴＩ１に対応する位置情報ＰＩを画像ファイル３０に付加する。
【００１８】
例えば、メモリカード３には、時間情報ＴＩ２が「２００７年１月１日１２時３０分」である画像ファイル３０が記憶されている。ＧＰＳ記録装置１０の記憶手段１０２には「２００７年１月１日１２時３０分」である時間情報ＴＩ１、「台北」である対応する位置情報ＰＩ、「２００７年１月１日１３時３０分」である時間情報ＴＩ１、「桃園」である対応する位置情報ＰＩ、「２００７年１月１日１４時３０分」である時間情報ＴＩ１、「新竹」である対応する位置情報ＰＩ、が記憶されている。使用者がメモリカード３を充電台１２のカードコネクタ１２４に接続したとき、マイコンユニット１２５は、位置情報「台北」を、ＧＰＳ記録装置１０を介して画像ファイル３０に付加する。
【００１９】
言い換えれば、使用者がＧＰＳ記録装置１０を充電台１２に接続するとともに、画像ファイル３０が記憶されているメモリカード３を充電台１２のカードコネクタ１２４も接続されたとき、本考案における充電台１２はＧＰＳ記録装置１０に対する充電を開始するだけでなく、ＧＰＳ記録装置１０内に記憶されている位置情報ＰＩを、メモリカード３内の対応する画像ファイル３０に自動的に付加するというものである。つまり、使用者は充電台１２を直接利用することで、撮影場所の位置情報ＰＩを写真一枚ごとに付加することができ、コンピュータの操作は必要としない。
【００２０】
図３を参照されたい。図３は本考案の他の具体的な実施例に係るＧＰＳ記録装置１０’の機能ブロック図である。ＧＰＳ記録装置１０’とＧＰＳ記録装置１０との主な相違点は、ＧＰＳ記録装置１０’は更にスロット１０８と、カードコネクタ１０９とを備えているところである。使用者はメモリカード５をＧＰＳ記録装置１０’のスロット１０８に挿入して、更にはカードコネクタ１０９に接続することができる。これにより、ＧＰＳ記録装置１０’のマイコンユニット１０６はＧＰＳ受信器１００が受信した位置情報ＰＩおよび時間情報ＴＩ１をメモリカード５に記憶することができる。言い換えれば、本考案はメモリカードを記憶メディアとして用いるため、ＧＰＳ記録装置１０’が記憶可能な位置情報および時間情報には容量制限がなくなる。図３におけるＧＰＳ記録装置１０’の動作原理は上記したＧＰＳ記録装置１０と同じであるため、ここでは説明を省略する。
【００２１】
従来技術に比べて、本考案の充電システムによれば、使用者は直接、画像ファイルが記憶されているメモリカードおよびＧＰＳ記録装置をそれぞれ充電台に接続することで、充電台がＧＰＳ記録装置に充電を行うと同時に、ＧＰＳ記録装置に記憶されている位置情報をメモリカード内の画像ファイルに付加することができる。つまり、使用者は充電台を直接利用することで、撮影場所の位置情報を写真一枚ごとに付加することができ、コンピュータの操作は必要としないというものである。また、本考案はコンピュータを介在することなく、ＫＭＬ経路記録ファイルのフォーマットを自動的に作成できる。これは使用者にとってかなり便利となる。
【００２２】
上記した好ましい具体的な実施例の詳細な説明によって、本考案の特徴および技術的思想がより明確となり、そして上記で開示した好ましい具体的な実施例で本考案の範囲を限定するものではないということが明記されている。反対に、その目的は各種改変および均等的なアレンジは、本考案が求める実用新案登録請求の範囲内に含まれることを望むところにある。したがって、本考案が出願する実用新案登録請求の範囲の範疇は、上記説明に基づいて、その可能な改変および均等的なアレンジが含まれるように最も広く解釈されるべきである。
【図面の簡単な説明】
【００２３】
【図１】本考案の具体的な実施例に係る充電システムの概略図である。
【図２】図１における充電システムの機能ブロック図である。
【図３】本考案の他の具体的な実施例に係るＧＰＳ記録装置の機能ブロック図である。
【符号の説明】
【００２４】
１              充電システム
１０、１０’    ＧＰＳ記録装置
１００          ＧＰＳ受信器
１０１          ＧＰＳアンテナ
１０２          記憶手段
１０３、１２２  接続ポート
１０４          電源管理手段
１０５          電池
１０６、１２５  マイコンユニット
１０７          表示モジュール
１０８、１２１  スロット
１０９、１２４  カードコネクタ
１２            充電台
１２０          収容空間
１２３          充電手段
３、５          メモリカード
３０            画像ファイル
ＰＩ            位置情報
ＴＩ１、ＴＩ２  時間情報
【図１】
0003141582.tif 000003
【図２】
0003141582.tif 000004
【図３】
0003141582.tif 000005